(57)【特許請求の範囲】
【請求項１】
顧客の要求に応じて該顧客に現金を支払う現金支払機と、
金融機関における口座を管理する口座管理部とをそなえ、
該現金支払機に、該現金支払機の設置場所の管理者に所有権のある現金が、該顧客に対する支払用現金として装填され、
該顧客により現金の支払要求が行なわれると、該口座管理部が該顧客の口座の残高確認を行ない、
該現金支払機において、該支払金額の現金の現金収納部から紙幣放出口への搬送が完了した後、該紙幣放出口の蓋を開放して前記支払金額の現金を放出する直前に、該口座管理部が、該現金支払機による該顧客への支払金額と同額の入金処理を、該管理者の口座に対して行なうことにより、該現金支払機内における前記顧客への支払金額と同額の該支払用現金の所有権の移転を行ない、
該顧客への現金支払時に該現金支払機内で不具合が発生した場合に、該口座管理部が該入金処理を取り消すことにより、前記移転した支払用現金の所有権を前記現金支払機の設置場所の管理者に戻すことを特徴とする、現金支払システム。
【請求項２】
該口座管理部が、出金元口座から、該支払金額と同額を出金することを特徴とする、請求項１記載の現金支払システム。
【請求項３】
該現金支払機が、該不具合の発生時に当該不具合の内容を該顧客に通知する通知部を有していることを特徴とする、請求項１または請求項２記載の現金支払システム。
【請求項４】
該現金支払機が、該支払用現金の鑑別を行なう鑑別部を有していることを特徴とする、請求項１〜請求項３のいずれか１項に記載の現金支払システム。
【請求項５】
現金支払機に、該現金支払機の設置場所の管理者に所有権のある現金を、該顧客に対する支払用現金として装填し、
該顧客により現金の支払要求が行なわれると、該顧客の口座の残高確認を行ない、
該現金支払機において、該支払金額の現金の現金収納部から紙幣放出口への搬送が完了した後、該紙幣放出口の蓋を開放して前記支払金額の現金を放出する直前に、該現金支払機による該顧客への支払金額と同額の入金処理を、該管理者の口座に対して行なうことにより、該現金支払機内における前記顧客への支払金額と同額の該支払用現金の所有権の移転を行なってから、該現金支払機により、該支払金額分の支払用現金を該顧客に支払い、
該顧客への現金支払時に該現金支払機内で不具合が発生した場合には、該入金処理を取り消すことにより、前記移転した支払用現金の所有権を前記現金支払機の設置場所の管理者に戻すことを特徴とする、現金支払方法。
【請求項６】
顧客の要求に応じて該顧客に現金を支払う現金支払機であって、
該現金支払機の設置場所の管理者に所有権のある現金を、該顧客に対する支払用現金として装填されるとともに、
該顧客により現金の支払要求が行なわれると、該顧客の口座の残高確認を行ない、
該現金支払機において、該支払金額の現金の現金収納部から紙幣放出口への搬送が完了した後、該紙幣放出口の蓋を開放して前記支払金額の現金を放出する直前に、該現金支払機による該顧客への支払金額と同額の入金処理を、該管理者の口座に対して行なわせることにより、該現金支払機内における前記顧客への支払金額と同額の該支払用現金の所有権の移転を行ない、
該管理者の口座に対する、該顧客への支払金額と同額の入金処理の完了に応じて、該支払金額分の支払用現金を該顧客に支払い、
該顧客への現金支払時に当該現金支払機内で不具合が発生した場合に、該入金処理を取り消させることにより、前記移転した支払用現金の所有権を前記現金支払機の設置場所の管理者に戻すことを特徴とする、現金支払機。
【請求項７】
顧客の要求に応じて該顧客に現金を支払い、又、該顧客が現金を入金する現金入金支払機と、
金融機関における口座を管理する口座管理部とをそなえ、
該現金入金支払機に、該現金入金支払機の設置場所の管理者に所有権のある現金が、該顧客に対する支払用現金として装填され、
該顧客により現金の支払要求が行なわれると、該口座管理部が該顧客の口座の残高確認を行ない、
該現金入金支払機において、該支払金額の現金の現金収納部から紙幣放出口への搬送が完了した後、該紙幣放出口の蓋を開放して前記支払金額の現金を放出する直前に、該口座管理部が、該現金入金支払機による該顧客への支払金額と同額の入金処理を、該管理者の口座に対して行なうことにより、該現金入金支払機内における前記顧客への支払金額と同額の該支払用現金の所有権の移転を行ない、
該口座管理部が、該現金入金支払機における該顧客による入金時に、入金金額と同額の出金処理を、該現金入金支払機の設置場所の管理者の口座に対して行なうとともに、該顧客への現金支払時に該現金入金支払機内で不具合が発生した場合に、該入金処理を取り消すことにより、前記移転した支払用現金の所有権を前記現金支払機の設置場所の管理者に戻すことを特徴とする、現金入金支払システム。
【請求項８】
該口座管理部が、該入金金額と同額の入金処理を入金先口座に対して行なうことを特徴とする、請求項７記載の現金入金支払システム。
【請求項９】
前記入金先口座に対する入金処理を行なうことができなかった場合に、該口座管理部が該入金処理および該出金処理を取り消すことを特徴とする、請求項７又は請求項８に記載の現金入金支払システム。
【請求項１０】
前記入金先口座に対する入金処理を行なうことができなかった場合に、その原因に関する情報を該顧客に通知する通知部を有していることを特徴とする、請求項９記載の現金入金支払システム。
【発明の詳細な説明】
【０００１】
【発明の属する技術分野】
本発明は、銀行等の金融機関によって展開される、現金支払システムおよび現金入金支払システムや、これらの現金支払システムおよび現金入金支払システムに適用される現金支払方法のほか、例えばコンビニエンスストア等の店舗内に設置され顧客による現金の入金や引き出しが可能なＡＴＭ（Automated Teller Machine；現金自動預け払い機）として用いて好適な現金支払機に関する。
【０００２】
【従来の技術】
顧客が自由にその預金（現金）を引き出したり入金したりすることが可能な現金自動支払機やＡＴＭ（Automated Teller Machine；現金自動預け払い機）は、従来、銀行等の金融機関の本店や支店を中心に設置・展開されていたが、近年においては、コンビニエンスストア等を中心に、小売店の店舗内やショッピングセンタ等の特定の場所にも設置されるようになってきている。これにより、現金自動支払機の利用態様は、利用客が、わざわざ金融機関へ出向いて預金を引き出した後に消費地（店舗等）へ行って物品やサービスを購入するという従来の形態から、近年では、利用客が消費地へ行く途中で預金を引き出すという形態に変わってきている。このような現金自動支払機の増加によって、利用客は、金融機関に出向くための時間や交通費等の浪費から解放された。
【０００３】
ところで、小売店側にとっては、「現金の手持ちがないから今は買えない」という顧客の状態は販売機会の損失を意味する。又、「消費者が現金を引き出してから小売店に来る」までの過程が無駄であるともいえる。
上述のような販売機会の損失を無くし、利用客が十分な現金を手元に所持していない場合でも買物できるようにするために、小売店側において、クレジットカードやデビットカードを用いたシステムを導入することも考えられるが、このようなシステムの利用にあたっては、小売店側が手数料を負担しなければならない。
【０００４】
そこで、小売店の店舗内等に、図１７を参照しながら後述する現金自動支払システムに属する現金自動支払機を設置し、利用客がその現金自動支払機を用いて自身の口座から預金を引き出せるようにすることにより、小売側は、手数料を負担する必要が無くなるだけでなく、顧客への販売機会を損失することもなくなる。
【０００５】
図１７は一般的な現金自動支払システムのハードウェア構成を模式的に示す図である。この図１７に示すように、現金自動支払システム２００は、専用回線２０２を介してホストコンピュータ２０１と現金自動支払機２０３とを互いに通信可能に接続することにより構成されている。
ホストコンピュータ２０１は、例えば金融機関によって管理され、利用客の口座を管理するものであり、現金自動支払機２０３は、例えば銀行の本店や支店の他、小売店の店舗内等に設置され、利用客の支払要求に応じて現金を支払うものである。
【０００６】
顧客が、現金自動支払機２０３において、金額を指定して現金の支払要求を行なうと、その情報が専用回線２０２を介してホストコンピュータ２０１に送信される。そして、このホストコンピュータ２０１において、顧客の口座からその支払要求金額が出金処理されるとともに、現金自動支払装置２０３からその支払要求金額の現金が支払われるようになっている。
【０００７】
また、ＡＴＭにおいては、上述した現金自動支払機２０３が有する現金の支払機能に加えて、顧客が金融機関口座等に現金を預け入れる（入金する）こともできる。
【０００８】
【発明が解決しようとする課題】
しかしながら、上述した現金自動支払システム２００において、従来、現金自動支払機２０３（もしくはＡＴＭ）の中に入っている現金の所有権は、金融機関や運用会社が有しているので、現金自動支払機２０３やＡＴＭが店舗内に設置されていても、小売店の従業員や管理者等は、その現金自動支払機２０３やＡＴＭに現金を補充・装填することができず、又、現金自動支払機２０３やＡＴＭ内において、例えば紙幣の搬送不良等の不具合が生じた場合においても、不具合の原因となった紙幣を取り扱うことができない。
【０００９】
従って、小売店側は金融機関や運用会社に紙幣装填や警備を含めて運用を委託する必要があり、そのために多額の費用がかかるという課題がある。又、現金自動支払機２０３やＡＴＭ内で紙幣の搬送不良などの不具合が発生した場合、上述した如く小売店の従業員や管理者がその不具合に対処することはできず、運用を委託された係員（例えば、警備会社の係員等）が到着するまで待たねばならないので、復旧までに時間がかかり、利用客や小売店が多大な迷惑を受けるという課題もある。
【００１０】
また、小売店においては、一日の商取引によって生じた売上金は、店舗内に設置されたＰＯＳ（Point Of Sales；販売時点情報管理）のレジ端末内等に貯まっていくのであるが、このような売上金を狙った犯罪が発生するおそれがあり、釣り銭以外の現金が店舗内に貯まっていることは望ましくない。そこで、店舗内に、図１８を参照しながら後述する入金システムに属する入金機を設置し、その入金機に売上金を入金することにより、入金した売上金を警送会社を経由して銀行口座へ入金したものと同様にする手法が知られている。
【００１１】
図１８は入金機を用いた一般的な入金システムの機能構成を示すブロック図である。この図１８に示すように、入金システム４００は、ホストシステム４０１，入金処理システム４０２および入金端末（入金機）４０３をそなえて構成されている。
入金端末４０３は、例えば小売店の店舗内等に設置され、その内部に店舗管理者が売上金を入金することができるようになっており、入金処理システム４０２に通信可能に接続されている。そして、この入金端末４０３の金銭投入口に店舗管理者が売上金を投入すると、その金額等の情報（入金情報）が、入金処理システム４０２に送信されるようになっている。
【００１２】
入金処理システム４０２は、例えば警備会社，運用会社等の集金業務会社によって管理され、入金端末４０３から送信された入金情報に基づいて、ホストシステム４０１に振り込み依頼を行なうようになっている。
ホストシステム４０１は、例えば金融機関によって管理され、入金端末４０３の設置場所の管理者（店舗管理者等）の金融機関口座を管理するものであって、入金処理システム４０２に通信可能に接続されている。このホストシステム４０１は、入金処理システム４０２からの振り込み依頼に基づいて、その入金端末４０３に入力された現金と同額の金額の入金処理を店舗管理者の金融機関口座に対して行なうようになっている。そして、店舗内に設置された入金端末４０３内の現金の所有権は、集金業務会社が有することになる。
【００１３】
しかしながら、このような入金システムにおいても、上述した現金自動支払機やＡＴＭと同様に、入金端末４０３の中に入っている現金は、集金業務会社の所有物であるので、小売店側は入金端末４０３の中の現金を取り扱うことができない。
従って、その運用のために多大な金銭的負担が生じ、又、入金端末４０３内において紙幣の搬送不良等の不具合が発生した場合でも、これらの不具合を小売店側で解決することができず、集金業務会社による処理を待たなければならず、不具合発生時の復旧作業に時間がかかるという課題がある。
【００１４】
一方、上述した現金自動支払システム２００や入金システム４００においては、使用することができない資産（現金）が、各店舗内に設置された現金自動支払機２０３や入金端末４０３内に滞留していることになるので、金融機関や集金業務会社にとっては、資産を効果的に運用することができないという課題もある。
本発明は、これらのような課題に鑑み創案されたもので、装置内における紙幣の搬送不良等の不具合が発生した場合においても、かかる不具合の解決を金融機関や運用会社等に委託することなく、小売店側が解消することができ、又、店舗内に現金をそのまま置いておくことなく、防犯上安全な現金支払システム，現金支払方法，現金支払機および現金入金支払システムを提供することを目的とする。
【００１５】
【課題を解決するための手段】
このため、本発明の現金支払システム（請求項１）は、顧客の要求に応じてこの顧客に現金を支払う現金支払機と、金融機関における口座を管理する口座管理部とをそなえ、現金支払機に、現金支払機の設置場所の管理者に所有権のある現金が、顧客に対する支払用現金として装填され、顧客により現金の支払要求が行なわれると、口座管理部が顧客の口座の残高確認を行ない、現金支払機において、支払金額の現金の現金収納部から紙幣放出口への搬送が完了した後、紙幣放出口の蓋を開放して支払金額の現金を放出する直前に、口座管理部が、現金支払機による顧客への支払金額と同額の入金処理を、管理者の口座に対して行なうことにより、現金支払機内における顧客への支払金額と同額の支払用現金の所有権の移転を行ない、顧客への現金支払時に現金支払機内で不具合が発生した場合に、口座管理部が該入金処理を取り消すことにより、移転した支払用現金の所有権を現金支払機の設置場所の管理者に戻すことを特徴としている。
【００１６】
また、本発明の現金支払方法（請求項５）は、現金支払機に、この現金支払機の設置場所の管理者に所有権のある現金を、顧客に対する支払用現金として装填し、顧客により現金の支払要求が行なわれると、顧客の口座の残高確認を行ない、現金支払機において、支払金額の現金の現金収納部から紙幣放出口への搬送が完了した後、紙幣放出口の蓋を開放して支払金額の現金を放出する直前に、現金支払機による顧客への支払金額と同額の入金処理を、管理者の口座に対して行なうことにより、現金支払機内における顧客への支払金額と同額の支払用現金の所有権の移転を行なってから、現金支払機により、支払金額分の支払用現金を顧客に支払い、顧客への現金支払時に現金支払機内で不具合が発生した場合には、入金処理を取り消すことにより、移転した支払用現金の所有権を現金支払機の設置場所の管理者に戻すことを特徴としている。
【００１７】
さらに、本発明の現金支払機（請求項６）は、顧客の要求に応じてこの顧客に現金を支払う現金支払機であって、この現金支払機の設置場所の管理者に所有権のある現金を、顧客に対する支払用現金として装填されるとともに、顧客により現金の支払要求が行なわれると、顧客の口座の残高確認を行ない、現金支払機において、支払金額の現金の現金収納部から紙幣放出口への搬送が完了した後、紙幣放出口の蓋を開放して支払金額の現金を放出する直前に、現金支払機による顧客への支払金額と同額の入金処理を、管理者の口座に対して行なわせることにより、現金支払機内における顧客への支払金額と同額の支払用現金の所有権の移転を行ない、管理者の口座に対する、顧客への支払金額と同額の入金処理の完了に応じて、支払金額分の支払用現金を顧客に支払い、顧客への現金支払時に現金支払機内で不具合が発生した場合に、入金処理を取り消させることにより、移転した支払用現金の所有権を現金支払機の設置場所の管理者に戻すことを特徴としている。
【００１８】
上述の構成により、顧客への支払金額と同額の入金処理が完了するまでは、支払金額と同額の現金の所有権は、現金支払機の設置場所の管理者にあり、上記入金処理を完了した時点で、その所有権が、現金支払機の設置場所の管理者から金融機関へ移転されたのと同様になる。
なお、口座管理部が、出金元口座から、支払金額と同額を出金してもよく、これにより、出金元口座からこの支払金額が支払われたことと同様になる（請求項２）。
【００１９】
また、現金支払機から該支払金額の現金を放出する直前に、口座管理部が入金処理を行なうことにより、現金支払機から支払金額の現金が放出される直前まで、支払金額と同額の現金の所有権は、現金支払機の設置場所の管理者にある（請求項１）。
なお、該現金支払機が、該不具合の発生時に当該不具合の内容を該顧客に通知する通知部を有してもよく（請求項３）、該現金支払機が、該支払用現金の鑑別を行なう鑑別部を有してもよい（請求項４）。
【００２２】
そして、本発明の現金入金支払システム（請求項７）は、顧客の要求に応じてこの顧客に現金を支払い、又、顧客が現金を入金する現金入金支払機と、金融機関における口座を管理する口座管理部とをそなえ、現金入金支払機に、現金入金支払機の設置場所の管理者に所有権のある現金が、顧客に対する支払用現金として装填され、顧客により現金の支払要求が行なわれると、口座管理部が顧客の口座の残高確認を行ない、現金入金支払機において、支払金額の現金の現金収納部から紙幣放出口への搬送が完了した後、紙幣放出口の蓋を開放して支払金額の現金を放出する直前に、口座管理部が、現金入金支払機による顧客への支払金額と同額の入金処理を、管理者の口座に対して行なうことにより、現金入金支払機内における顧客への支払金額と同額の支払用現金の所有権の移転を行ない、口座管理部が、現金入金支払機における顧客による入金時に、入金金額と同額の出金処理を、現金入金支払機の設置場所の管理者の口座に対して行なうとともに、顧客への現金支払時に現金入金支払機内で不具合が発生した場合に、その入金処理を取り消すことにより、移転した支払用現金の所有権を現金支払機の設置場所の管理者に戻すことを特徴としている。
【００２３】
上述の構成により、現金支払時には、顧客への支払金額と同額の入金処理が完了するまでは、支払金額と同額の現金の所有権は、現金入金支払機の設置場所の管理者にあり、上記入金処理を完了した時点で、その所有権が、現金入金支払機の設置場所の管理者から金融機関へ移転されたのと同様になる。一方、現金入金時には、顧客による入金金額と同額の出金処理を現金入金支払機の設置場所の管理者の口座に対して行なった時点で、現金入金支払機に入金された現金の所有権は、現金入金支払機の設置場所の管理者にある。
なお、該口座管理部が、該入金金額と同額の入金処理を入金先口座に対して行なってもよく（請求項８）、前記入金先口座に対する入金処理を行なうことができなかった場合に、該口座管理部が該入金処理および該出金処理を取り消してもよく（請求項９）、又、前記入金先口座に対する入金処理を行なうことができなかった場合に、その原因に関する情報を該顧客に通知する通知部を有してもよい（請求項１０）。
【００２４】
【発明の実施の形態】
以下、図面を参照して本発明の実施の形態を説明する。
（Ａ）第１実施形態の説明
図１は本発明の第１実施形態としての現金預金支払システム（現金支払システム）の機能構成を示すブロック図、図２は本第１実施形態の現金預金支払システムにおける現金支払機の外観を模式的に示す斜視図である。
【００２５】
図１に示すように、第１実施形態の現金預金支払システム１ａは、預金管理部（口座管理部，金融機関センタ）１０，中継センタ（支払取引センタ）２０，現金支払機３０およびネットワーク４０ａ，４０ｂをそなえて構成されている。この現金預金支払システム１ａにおいて、預金管理部１０と現金支払機３０とは、中継センタ２０およびネットワーク４０ａ，４０ｂを介して互いに通信可能に接続されている。
【００２６】
現金支払機３０は、例えば小売店の店舗内等に設置され、利用客（顧客）の要求に応じて、出金先口座（本実施形態では利用客の口座）から出金した現金をこの利用客に支払うものである。なお、本実施形態においては、利用客に支払う支払用現金として紙幣を取り扱う場合について説明する。
先ず、図２を参照して、現金支払機３０のハードウェア構成を説明する。現金支払機３０は、表示／入力部３１，カード挿入口３２，レシート放出口３３および紙幣放出口３４をそなえて構成されている。
【００２７】
表示／入力部３１は、例えばタッチパネルによって構成されていて、利用客に対する種々の情報とともに、キーボード，ボタン等が表示されるようになっており、利用客が、この表示／入力部３１に表示される情報に基づいて種々の入力操作を行なうことができるようになっている。例えば、利用客は、この表示／入力部３１から支払いを請求する金額や、自身の口座に設定されたパスワード等を入力するようになっている。
【００２８】
なお、本実施形態においては、表示／入力部３１をタッチパネルによって構成することにより、表示と入力との両方を行なうようになっているが、これに限定されるものではなく、表示を行なう表示部（例えばディスプレイ）と入力操作を行なうための入力部（例えばキーボード）とを別々にそなえて構成してもよい。カード挿入口３２は、キャッシュカードやクレジットカード等の利用客の金融機関の口座を識別するための媒体（例えば、磁気カードやＩＣカード；以下、単にカードという）を挿入されるもので、カード挿入口３２から挿入されたカードに登録された内容は、後述するカードリード部３０３（図１参照）によって読み取られるようになっている。又、このカード挿入口３２は、支払処理の終了後にカードを外部に排出する排出機能もそなえている。
【００２９】
紙幣放出口３４は、後述する紙幣搬送部３０６（図１参照）によって搬送されてきた支払金額の紙幣（現金）を外部に放出するものであって、例えば図示しない蓋をそなえており、この蓋を開放することによって紙幣が放出され、利用者が紙幣を受け取ることができるようになっている。レシート放出口３３は取引内容を印刷したレシートを外部に放出するものである。
【００３０】
紙幣収納部３０７には、例えば、図示しないカセット（ユニット）に紙幣をつめて、このカセットを紙幣収納部３０７にセットすることにより、現金支払機３０の設置場所の管理者（以下、管理者という）に所有権のある紙幣（現金）が、利用客に対する支払用現金として装填されるようになっている。
なお、現金支払機３０への紙幣の装填方法は、これに限定されるものではなく、例えば、現金装填口（図２では図示省略；例えば、図１１の紙幣入出金口３５参照）から１枚ずつもしくは所定枚数まとめて挿入し、この挿入された紙幣を紙幣搬送部３０６によって紙幣収納部３０７まで搬送して装填してもよい。
【００３１】
次に、現金支払機３０の機能構成について説明する。現金支払機３０は、図１に示すように、主制御部３０１，通信制御部３０２，カードリード部３０３，紙幣計数出金部３０４および顧客操作部３０８をそなえて構成されている。
主制御部３０１は、中継センタ２０からの指示により、通信制御部３０２，カードリード部３０３，紙幣計数出金部３０４および顧客操作部３０８を制御するものであり、例えば、コンピュータシステムにおけるＣＰＵ（Central Processing Unit）によって実現される。
【００３２】
通信制御部３０２は、中継センタ２０と通信し、種々の情報を送受信するためのものであり、例えば、ＬＡＮ（Local Area Network）カードによって実現される。カードリード部３０３は、カード挿入口３２から挿入された利用客のキャッシュカードに登録された内容を読み取るためのものである。
紙幣計数出金部３０４は、紙幣を収納し払い出しを行なうものであって、ユニット制御部３０５，紙幣搬送部３０６および紙幣収納部３０７をそなえて構成されている。紙幣収納部３０７は、管理者によって装填された支払用現金を収納するものである。紙幣搬送部３０６は、現金支払機３０内において紙幣を搬送するもので、支払処理時には紙幣を紙幣収納部３０７から紙幣放出口３４まで搬送するようになっている。ユニット制御部３０５は紙幣搬送部３０６および紙幣収納部３０７の制御を行なうものである。
【００３３】
顧客操作部３０８は、図２に示す表示／入力部３１に対応し、利用客が入力・操作を行なうためのものであって、画面表示部３０９およびキー入力部３１０をそなえて構成されている。画面表示部３０９は利用客に対する種々の情報を表示することにより、利用客に対して取引案内を行なうものであり、キー入力部３１０は、利用客が画面表示部３０９に表示される画面に従って選択入力を行うためのものである。
【００３４】
また、現金支払機３０においては、利用客に対する支払い時に、何らかの不具合が生じた場合には、その不具合の内容を、表示／入力部３１に表示したり、図示しないスピーカからアナウンスしたり、レシート放出口３３から印刷したレシートを出力したりすることによって、利用客に通知するようになっており、これらの表示／入力部３１やスピーカ，レシート放出口３３が、不具合の内容を利用客に通知する通知部として機能するようになっている。
【００３５】
本システムにおいては、利用客に対する支払い時に取引不可となる場合として、利用客の口座における残高不足等、利用客の責によって生じる不具合と、管理者の口座に対する入金処理において生じた、利用客以外の責によって生じる不具合とがある。これらの不具合が生じた場合に、利用客が混乱しないように、支払い不可時においてはその理由を表示／入力部３１に表示する。
【００３６】
一方、預金管理部１０は、金融機関によって管理されるものであって、金融機関における口座（すなわち、利用客や管理者の預金）を管理し、これらの口座に対して入金処理や出金処理を行なうものである。
また、預金管理部１０は、現金支払機３０により支払用現金を利用客に支払う前に、現金支払機３０による利用客への支払金額と同額の入金処理を、管理者の口座（以下、店舗口座）に対して行なうようになっている。
【００３７】
なお、この店舗口座は、管理者の名義であってもよく、店舗もしくは小売店の名義であってもよい。
本実施形態では、上述したように管理者に所有権のある支払用現金を現金支払機３０に装填するようになっているが、一般に、利用客が現金支払機３０を操作して自分の預金を引き出す際には、現金支払機３０内の紙幣は金融機関から払い出される必要がある。
【００３８】
利用客が現金支払機３０を操作して払い出しを行なう際に、預金管理部１０が、現金支払機３０内に装填された紙幣の内、支払金額と同額の入金処理を店舗口座に対して行なうことにより、この現金支払機３０内に装填された紙幣の内、支払金額と同額分については、その所有権が管理者から金融機関に移転され、金融機関の資産となるのである。
【００３９】
この場合、管理者にとっては、一部の現金の保管場所が現金支払機３０内から金融機関の自分の口座に移ったことと同じであり、その資金の総額に変わりはない。又、金融機関側にとっても、手持ちの資金のうち、支払金額分だけが自行の金庫内から現金支払機３０内に移動したことと同じであり、その資金の総額に変わりはない。
【００４０】
さらに、預金管理部１０は、現金支払機３０において、利用客により現金の支払いが要求されると、この利用客の口座（出金元口座；以下、利用客口座という）から、支払金額と同額を出金するようになっている。
なお、厳密には、利用客口座から支払金額と同額の出金処理が行なわれた時点で、現金支払機３０内における支払金額と同額の紙幣の所有権は利用客にあるが、この状態では、金融機関がその紙幣を利用客に受け渡す責務を負っているので、本実施形態中においては、便宜上、その所有権は金融機関にあるとして説明する。
【００４１】
また、預金管理部１０は、利用客への現金支払時に現金支払機３０内で不具合が発生した場合には、上述の如く店舗口座に対して行なった入金処理や、利用客口座に対して行なった出金処理を取り消すようになっている。これにより、現金支払機３０内に入っている全ての現金の所有権は管理者に戻るので、支払時に、紙幣搬送部３０６において紙幣の搬送不良が生じた場合においても、管理者が紙幣の除去等の処理を行なうことができる。
【００４２】
さらに、預金管理部１０は、現金支払時に取引不可となった場合に、現金支払機３０に対してその理由を通知するようになっている。
中継センタ２０は、預金管理部１０と現金支払機３０との間を中継し、現金支払機３０で行なわれる種々の取引に応じて、上述した種々の処理を預金管理部１０に行なわせるものであって、現金支払機３０から送信される取引電文を受け、預金管理部１０と連携しながら中継処理を行なうようになっている。
【００４３】
この中継センタ２０は、預金管理部１０にネットワーク４０ａを介して通信可能に接続されるとともに、現金支払機３０にネットワーク４０ｂを介して通信可能に接続されている。
ここで、本第１実施形態の現金預金支払システム１ａにおける中継センタ２０の処理を、図３に示すフローチャート（ステップＡ１０〜ステップＡ６０）に従って説明する。
【００４４】
現金支払機３０において、顧客が支払い要求金額やパスワード等の情報を入力して現金の支払いを要求すると、現金支払機３０は、中継センタ２０と交信し、これらの情報を中継センタ２０に送信する。中継センタ２０は、金融機関の預金管理部１０と交信し、この預金管理部１０に対して利用客口座の残高の確認を要求し（ステップＡ１０）、預金管理部１０は、利用客口座の残高確認を行ない、中継センタ２０にその結果を通知する。
【００４５】
中継センタ２０は、預金管理部１０からの残高確認の結果に基づいて、支払要求金額を引き落とした場合に利用客口座が残高不足になるか否かを判断する（ステップＡ２０）。ここで、利用客口座が残高不足になる場合には（ステップＡ２０のＮＯルート参照）、中継センタ２０は、その結果を現金支払機３０に対して通知する（ステップＡ６０）。ここでは、中継センタ２０は、現金支払機３０に対して支払いが不可能である旨を通知する。
【００４６】
また、利用客口座が残高不足にならない場合には（ステップＡ２０のＹＥＳルート参照）、中継センタ２０は、預金管理部１０と交信し、この預金管理部１０に、利用客への支払金額と同額の入金処理（取引金額相当額の入金処理）を店舗口座に対して行なわせる（ステップＡ３０）。この入金処理により、現金支払機３０内に装填された紙幣の内、この支払金額と同額の分の紙幣については、その所有権が管理者から金融機関に移行する。
【００４７】
中継センタ２０は、店舗口座に対する入金処理を行なうことができたか否かを確認して（ステップＡ４０）、入金処理を行なうことができなかった場合には（ステップＡ４０のＮＯルート参照）、ステップＡ６０に移行して、店舗口座に対する入金処理を行なうことができないので利用客に支払いを行なえない旨を現金支払機３０に通知する。
【００４８】
店舗口座に対する入金処理を行なうことができた場合には（ステップＡ４０のＹＥＳルート参照）、中継センタ２０は、預金管理部１０に、利用客口座から支払金額と同額の出金処理を行なわせた後（ステップＡ５０）、ステップＡ６０に移行して、現金支払機３０に対して、利用客に支払いを行なうことができる旨を通知する。現金支払機３０は、紙幣放出口３４から紙幣を放出し、利用客はこの紙幣を受け取る。
【００４９】
次に、本第１実施形態の現金預金支払システム１ａの現金支払機３０において、不具合が発生した場合の中継センタ２０の処理を、図４に示すフローチャート（ステップＢ１０およびＢ２０）に従って説明する。
現金支払機３０において、中継センタ２０を介して預金管理部１０と交信した後に、例えば、紙幣搬送部３０６による紙幣の搬送不良や紙幣収納部３０７における紙幣の不足等、何らかの不具合が発生した場合には、その旨が現金支払機３０から中継センタ２０へ通知され、中継センタ２０は、預金管理部１０に、店舗口座に対して行なった入金処理を取り消させた後に（ステップＢ１０）、利用客口座からの出金処理を取り消させる（ステップＢ２０）。
【００５０】
ステップＢ１０において、店舗口座に対して行なった入金処理を取り消すことにより、上述したステップＡ３０において金融機関に移行していた現金支払機３０内の現金の所有権は管理者に戻る。これにより、管理者が現金支払機３０内の紙幣について処理することができ、管理者もしくはその代理人が現金支払機３０内の紙幣を除去する等の運用・保守作業を行なうことができる。
【００５１】
次に、上述の如く構成された本発明の第１実施形態の現金支払機３０の処理を、図５に示すフローチャート（ステップＣ１０〜Ｃ１１０）に従って説明する。
現金支払機３０において、利用客が表示／入力部３１から現金の支払いを行なう旨を選択し（ステップＣ１０）、利用客がカードをカード挿入口３２に挿入すると、カードリード部３０３がこのカードに登録された情報（例えば、口座番号等）を読み取る（ステップＣ２０）。
【００５２】
利用客は、表示／入力部３１に表示された指示に従って、表示／入力部３１から暗証番号を入力した後（ステップＣ３０）、支払いを希望する金額を表示／入力部３１を用いて入力する（ステップＣ４０）。
現金支払機３０は、中継センタ２０と交信して、ステップＣ２０〜ステップＣ４０において取得した情報（利用客の口座番号，暗証番号，支払金額等）とともに、支払要求の取引電文を中継センタ２０に送信する（ステップＣ５０）。
【００５３】
現金支払機３０は、中継センタ２０から送信された情報（図３のステップＡ６０参照）を参照して、利用客に対する現金の支払いが可能であるか否かを判断し（ステップＣ６０）、支払いが不可能である場合には（ステップＣ６０のＮＯルート参照）、その理由を表示／入力部３１に表示させたり、図示しないスピーカからアナウンスしたりすること等によって、利用客に通知するとともに、カードを利用客に返却して（ステップＣ９０）、処理を終了する。
【００５４】
一方、利用客に対する現金の支払いが可能である場合には（ステップＣ６０のＹＥＳルート参照）、利用客にカードを返却するとともに（ステップＣ７０）、紙幣収納部３０７に装填されている紙幣を支払金額になるまで計数して、その支払金額分の紙幣を紙幣搬送部３０６によって搬送し、紙幣放出口３４から放出する（ステップＣ８０）。利用客はこの紙幣放出口３４から放出された現金を受け取る。
【００５５】
現金支払機３０は、支払いが正常に終了したか否かを判断する（ステップＣ１００）。例えば、現金支払機３０は、紙幣搬送部３０６による紙幣の搬送不良等、何らかの不具合が生じていないか等を判断し、不具合が生じておらず支払いが行なわれた場合には（ステップＣ１００のＹＥＳルート参照）、処理を終了する。
【００５６】
また、ここで何らかの不具合が生じて支払いが行なわれなかった場合には（ステップＣ１００のＮＯルート参照）、中継センタ２０と交信して、中継センタ２０に対して支払いが行なわれなかった旨を通知する（ステップＣ１１０）。ここで、中継センタ２０が、店舗口座に対して行なった入金処理や利用客口座からの出金処理を預金管理部１０に取り消させることにより（図４のステップＢ１０およびＢ２０参照）、現金支払機３０内の紙幣の所有権は管理者に戻るので、管理者もしくはその代理人が現金支払機３０内の紙幣を除去したりすることができる。
【００５７】
このように、本発明の第１実施形態の現金預金支払システム１ａによれば、現金支払機３０内に、管理者に所有権のある紙幣を装填するようになっているので、現金支払機３０内の紙幣に関して管理者（もしくはこの管理者に委託されたもの（例えば小売店の従業員等））が保守作業を行なうことができる。
例えば、現金支払機３０内の紙幣が不足した場合においても、紙幣の補充を管理者が行なうことができ、金融機関や運用会社へ依頼したり、金融機関や運用機関がその補充のために到着するのを待ったりする必要がない。これにより、利用客や管理者の利便性が向上する。又、金融機関や運用機関に依頼する処理を減らすことができるので、金融機関や運用機関に対して支払う手数料（運用コスト）を低減することができる。
【００５８】
また、現金支払機３０内の紙幣の所有権は管理者にあるので、管理者は、夜間や店舗が休業状態の時等の任意の時間に現金支払機３０内の紙幣を回収することができる。これにより、夜間に店舗内（現金支払機３０内）に多額の現金が存在することを回避でき、盗難等を未然に防止することができるので、防犯上安全である。
【００５９】
さらに、現金支払機３０内の紙幣の所有権は管理者にあるので、これらの紙幣を自由に使用することができる。例えば、管理者は、必要に応じて現金支払機３０内の紙幣を取り出して取引業者等への支払いなどに用いることができ、利便性が向上する。
また、現金支払機３０により支払用紙幣を顧客に支払う前に、現金支払機３０による顧客への支払金額と同額の入金処理を、管理者の口座に対して行なうことにより、紙幣を顧客に支払う際には、現金支払機３０内に装填されている紙幣のうち、支払金額と同額の紙幣についての所有権が金融機関等に移転されるので、法的に何らの瑕疵なく支払処理を行なうことができる。
【００６０】
さらに、利用客への現金支払時に現金支払機３０内で不具合が発生した場合には、預金管理部１０により店舗口座に対する入金処理が取り消され、現金支払機３０内に装填されている紙幣の所有権は管理者に戻るので、管理者が現金支払機３０内で発生した不具合に対処することができ、利便性が向上する。
これにより、現金支払機３０による支払時に紙幣の搬送不良等が生じた場合においても、金融機関や運用会社へ依頼する必要がなく、金融機関や運用会社から係員等が不具合の解消のために到着するのを待つ必要がないので、利用客や管理者の利便性が向上する。又、これによっても、金融機関や運用会社に依頼する処理を減らすことができるので、金融機関や運用会社に対して支払う手数料（運用コスト）を低減することができる。
【００６１】
また、不具合の発生時には、その不具合の内容が表示／入力部３１やスピーカを通じて利用客に通知されるので、利用客はその不具合の内容を知ることができ、利用客の利便性が向上する。
一方、金融機関にとっては、店舗内に設置された現金支払機３０内に、使用することができない資産（紙幣）が滞留することが無くなり、資産を効率的に運用することができる。
【００６２】
（Ｂ）第２実施形態の説明
本発明の第２実施形態としての現金預金支払システム１ｂは、図１に示した第１実施形態の現金預金支払システム１ａと同様のハードウェア構成をそなえている（図１参照）。本第２実施形態の現金預金支払システム１ｂにおいては、現金支払機３０から支払金額の紙幣を放出する直前に、預金管理部（口座管理部）１０が店舗口座に対して入金処理を行なうようになっており、この点において、第１実施形態の現金預金支払システム１ａと異なる。
【００６３】
本第２実施形態の現金預金支払システム１ｂにおいては、現金支払機３０が現金を紙幣放出口３４から紙幣を放出する直前、より具体的には現金が紙幣放出口３４に搬送され、紙幣放出口３４を覆う蓋が解放される直前に、預金管理部１０が店舗口座に対する入金処理を行なう。すなわち、預金管理部１０は、現金支払機３０内における紙幣の搬送不良等の不具合が発生するおそれが無くなった状態になってから、店舗口座に対する支払金額と同額の入金処理や、利用客口座からの出金処理を行なうようになっている。
【００６４】
ここで、本第２実施形態の現金預金支払システム１ｂにおける中継センタ２０の処理を、図６に示すフローチャート（ステップＤ１０〜ステップＤ５０）に従って説明する。
現金支払機３０において、顧客が支払い要求金額やパスワード等の情報を入力して紙幣の支払いを要求すると、現金支払機３０は、中継センタ２０と交信し、これらの情報を中継センタ２０に送信する。中継センタ２０は、金融機関の預金管理部１０と交信して、この預金管理部１０に対して利用客口座の残高の確認を要求し（ステップＤ１０）、預金管理部１０は、利用客口座の残高確認を行ない、中継センタ２０にその結果を通知する。
【００６５】
中継センタ２０は、預金管理部１０からの残高確認の結果に基づいて、利用客口座が残高不足ではないか否か、つまり支払要求金額の支払いが可能か否かを判断する（ステップＤ２０）。その後、中継センタ２０は、その判断結果を現金支払機３０に対して通知する（ステップＤ３０）。現金支払機３０においては、中継センタ２０から支払可能である旨の通知を受けた場合、紙幣収納部３０７に装填されている紙幣を、支払金額になるまで計数して、その支払金額分の紙幣を紙幣搬送部３０６によって紙幣放出口３４まで搬送する。なお、中継センタ２０から支払不能（残高不足）である旨が通知された場合、現金支払機３０においては、図７のステップＣ９０による処理、つまり、図５のステップＣ９０と同様の処理が行なわれる。
【００６６】
紙幣搬送部３０６による紙幣の搬送途中においては、現金支払機３０内の現金の所有権は管理者にある。従って、この搬送中に搬送不良等の不具合が生じた場合には、管理者がその不具合に対処することができる。
さて、紙幣搬送部３０６において、特に不具合なく正常な状態で紙幣放出口３４まで紙幣が搬送され、現金預金支払システム１ｂにおいては、紙幣放出口３４から利用客に現金を受け渡す直前（例えば、紙幣放出口３４の蓋を開いて利用客に紙幣を渡す前）になると、現金支払機３０は、中継センタ２０に対して、紙幣の搬送が正常に終了した旨を通知する。この通知を受けた中継センタ２０は、預金管理部１０に、利用客への支払金額と同額の入金処理を店舗口座に対して行なわせる（ステップＤ４０）。この入金処理により、現金支払機３０内に装填された紙幣のうち、この支払金額と同額の分の紙幣については、その所有権が金融機関に移行する。
【００６７】
また、中継センタ２０は、預金管理部１０に、利用客口座から支払金額と同額を出金させた後（ステップＤ５０）、現金支払機３０に、利用客に対する支払いを行なうことができる旨を通知する。この通知（交信結果）を受けた現金支払機３０は、紙幣放出口３４から紙幣を放出し、利用客はこの紙幣を受け取る。
図７は、本発明の第２実施形態の現金支払機３０の処理を説明するためのフローチャート（ステップＣ１０〜Ｃ７０，Ｃ８０′，Ｃ９０，Ｃ１００′，Ｃ１１０′，Ｃ１２０）である。
【００６８】
この図７に示す本第２実施形態の現金支払機３０の処理フローは、図５に示した第１実施形態の現金預金支払システム１ａによる処理のステップＣ８０に代えてステップＣ８０′をそなえるほか、ステップＣ１００に代えてステップＣ１００′をそなえ、ステップＣ１１０に代えてステップＣ１１０′をそなえ、更に、新たなステップＣ１２０が追加されたものである。そして、図７中、既述の符号と同一の符号を付されたステップは、同一もしくは略同一の処理を行なうステップであるので、その詳細な説明は省略する。
【００６９】
図６のステップＤ３０により中継センタ２０から支払可能通知を受けると、カード返却後（ステップＣ７０）、ステップＣ８０′において、現金支払機３０は、紙幣収納部３０７に装填されている紙幣を支払金額になるまで計数して、その支払金額分の紙幣を紙幣搬送部３０６によって紙幣放出口３４まで搬送する。その後、この搬送処理が正常に行なわれたか否かを判断する（Ｃ１００′）。
【００７０】
例えば、現金支払機３０は、紙幣搬送部３０６による紙幣の搬送不良等の不具合が生じていないか等を判断し、何らかの不具合が生じて、紙幣の搬送処理が正常に行なわれなかった場合には（ステップＣ１００′のＮＯルート参照）、処理を終了し、例えば、表示／入力部３１にその旨を表示する。
利用客は、この表示／入力部３１に表示された指示に基づいて管理者に通知する。この紙幣搬送部３０６による紙幣の搬送途中においては、現金支払機３０内の紙幣の所有権は管理者にあるので、管理者がその不具合に対処することができる。
【００７１】
また、不具合が生じていない場合には（ステップＣ１００′のＹＥＳルート参照）、現金支払機３０は、中継センタ２０に対し不具合が発生していない旨を通知する（ステップＣ１１０′）。
そして、現金支払機３０から支払い金額の紙幣を放出する直前に、中継センタ２０は、預金管理部１０に、店舗口座に対して現金支払機３０による利用客への支払金額と同額の入金処理を行なわせるとともに、利用客口座から支払金額と同額を出金させる（図６のステップＤ４０およびＤ５０参照）。
【００７２】
そして、中継センタ２０からステップＤ４０およびＤ５０による処理の終了通知を受けた現金支払機３０は、紙幣放出口３４の蓋を開放する等によって、紙幣を放出して利用客に渡し（ステップＣ１２０）、処理を終了する。
このように、本発明の第２実施形態としての現金預金支払システム１ｂによれば、上述した第１実施形態と同様の作用効果を得ることができる他、現金支払機３０から支払い金額の紙幣を放出する直前に、預金管理部１０が、店舗口座に対する入金処理や、利用客口座からの出金処理を行なうので、現金放出直前まで、放出されるべき現金の所有権が管理者にある。従って、万一、利用客への支払時に不具合が発生しても、現金放出直前まで管理者が対処することができるので、紙幣の搬送不良等の不具合に伴う預金管理部１０による取消処理がほとんど不要になり、第１実施形態の現金預金支払システム１ａに比べて、預金管理部１０の負荷が軽減されるとともに、現金支払機３０と預金管理部１０および中継センタ２０との間で送受信される通信回数およびデータ量を軽減することができ、ネットワーク４０ａ，４０ｂのトラフィックを軽減することができる。
【００７３】
（Ｃ）第３実施形態の説明
本発明の第３実施形態としての現金預金支払システム１ｃも、図１に示した第１実施形態の現金預金支払システム１ａと同様の構成をそなえており、本第３実施形態の現金預金支払システム１ｃにおいては、現金支払機３０が、利用客に対して、紙幣を単位金額毎に（例えば１万円ずつ）支払うようになっていて、この点において、第１実施形態の現金預金支払システム１ａと異なる。
【００７４】
この単位金額は予め任意に設定することができ、特に、１万円毎，千円毎，５千円毎，２千円毎のような、１枚の紙幣で支払うことができる金額を単位金額として設定することが望ましい。
また、本第３実施形態の現金預金支払システム１ｃにおいては、利用客に対して単位金額毎の支払いを行なうに際して、預金管理部１０は、この単位金額毎に、店舗口座に対する入金処理と利用客口座からの出金処理とを行なうようになっている。
【００７５】
さらに、本第３実施形態の現金預金支払システム１ｃにおいては、店舗口座への入金処理や利用客口座からの出金処理を、上述した第２実施形態の現金預金支払システム１ｂのように、現金支払機３０の紙幣放出口３４から支払金額の紙幣を放出する直前に行なうようになっている。
なお、かかる店舗口座に対する入金処理や利用客口座からの出金処理は、上述した第１実施形態の現金預金支払システム１ａのように、預金管理部１０が利用客口座の残高を確認した直後に行なってもよく、本発明の趣旨を逸脱しない範囲で種々変形して実施することができる。
【００７６】
次に、本発明の第３実施形態の現金支払機３０の処理を、図８に示すフローチャート（ステップＥ１０〜Ｅ１４０）に従って説明する。
現金支払機３０において、利用客が表示／入力部３１から現金の支払いを行なう旨を選択し（ステップＥ１０）、利用客がカードをカード挿入口３２に挿入すると、カードリード部３０３がこのカードに登録された情報（例えば、口座番号等）を読み取る（ステップＥ２０）。
【００７７】
利用客は、表示／入力部３１に表示された指示に従って、表示／入力部３１から暗証番号を入力した後（ステップＥ３０）、支払いを希望する金額を表示／入力部３１を用いて入力する（ステップＥ４０）。
現金支払機３０は、中継センタ２０と交信して、ステップＥ２０〜ステップＥ４０において取得した情報（利用客の口座番号，暗証番号，支払金額等）とともに、支払要求の取引電文を中継センタ２０に送信する（ステップＥ５０）。
【００７８】
現金支払機３０は、中継センタ２０から送信された情報（図６のステップＤ３０参照）を参照して、利用客に対する現金の支払いが可能であるか否かを判断し（ステップＥ６０）、支払いが不可能である場合には（ステップＥ６０のＮＯルート参照）、その理由を表示／入力部３１に表示させたり、図示しないスピーカからアナウンスしたりすること等によって、利用客に通知するとともに、カードを利用客に返却して（ステップＥ８０）、処理を終了する。
【００７９】
一方、利用客に対する現金の支払いが可能である場合には（ステップＥ６０のＹＥＳルート参照）、利用客にカードを返却するとともに（ステップＥ７０）、紙幣収納部３０７に装填されている紙幣を計数して、単位枚数（本実施形態では１枚）の現金を紙幣搬送部３０６によって紙幣放出口３４まで搬送する（ステップＥ９０）。
【００８０】
その後、現金支払機３０は、搬送処理が正常に終了したか否かを判断する（ステップＥ１００）。例えば、現金支払機３０は、紙幣搬送部３０６による搬送不良等の不具合が生じていないか等を判断する。
不具合が生じていない場合には（ステップＥ１００のＹＥＳルート参照）、現金支払機３０は、中継センタ２０に対し不具合が発生していない旨を通知する（ステップＥ１１０）。
【００８１】
そして、現金支払機３０から支払い金額の現金を放出する直前に、中継センタ２０は、預金管理部１０に、店舗口座に対して現金支払機３０による利用客へ支払う単位金額と同額の入金処理を行なわせるとともに、利用客口座からこの単位金額と同額を出金させる（図６のステップＤ４０およびＤ５０参照）。この後、現金支払機３０は、中継センタ２０からステップＤ４０およびＤ５０による処理の終了通知を受けると、紙幣放出口３４から単位金額の紙幣を放出し利用客に渡す（ステップＥ１２０）。
【００８２】
ついで、現金支払機３０は、利用客に支払いを行なった総額を算出して、その総額がステップＥ４０において入力された利用客が希望する支払金額に達したか否かを判断する（ステップＥ１３０）。支払総額が支払希望金額に達した場合には（ステップＥ１３０のＹＥＳルート参照）、処理を終了し、又、支払いを行なった総額が支払希望金額に達していない場合には（ステップＥ１３０のＮＯルート参照）、ステップＥ９０に戻る。
【００８３】
なお、紙幣搬送部３０６による搬送不良等の何らかの不具合が生じて、搬送処理が正常に行なわれなかった場合（ステップＥ１００のＮＯルート参照）、現金支払機３０は、表示／入力部３１に、不具合が生じるまでに利用客に対して支払われた単位金額の総額を表示するとともに、出金が途中までしか行なわれていない旨を、その理由とともに表示／入力部３１に表示する（ステップＥ１４０）。
【００８４】
利用客は、この表示／入力部３１に表示された指示に基づいて管理者に通知する。紙幣搬送部３０６による紙幣の搬送途中においては、現金支払機３０内の現金の所有権は管理者にあるので、管理者がその不具合に対処することができる。
このように、本発明の第３実施形態の現金預金支払システム１ｃによれば、上述した第２実施形態と同様の作用効果を得ることができる他、現金支払機３０から利用客に対して単位金額毎に支払うようになっているので、出金処理中に何らかの不具合が生じた場合においても、どこまで出金処理が行なわれたか等の経過が明確になり、取引の信頼性を向上させることができる。
【００８５】
（Ｄ）現金支払機の第１変形例の説明
図９は、上述した各実施形態の現金預金支払システム１ａ，１ｂ，１ｃにおける現金支払機の第１変形例を説明するための図であって、その紙幣搬送部３０６の構成を模式的に示す図である。
本第１変形例の現金支払機３０ａにおいては、上述した第１実施形態の現金支払機３０と同様に、例えば、図示しないカセット（ユニット）に紙幣をつめて、このカセットを紙幣収納部３０７にセットすることにより、紙幣収納部３０７に、現金支払機３０ａの設置場所の管理者（以下、管理者という）に所有権のある紙幣（現金）が、利用客に対する支払用現金として装填されるようになっている。
【００８６】
なお、現金支払機３０ａへの紙幣の装填方法は、これに限定されるものではなく、例えば、現金装填口（図２では図示省略；例えば、図１１の紙幣入出金口３５参照）から１枚ずつもしくは所定枚数まとめて挿入し、この挿入された紙幣を紙幣搬送部３０６によって紙幣収納部３０７まで搬送して装填してもよい。
本第１変形例の現金支払機３０ａは、図９に示すように、第１実施形態〜第３実施形態の現金支払機３０の紙幣搬送部３０６に、鑑識部３２０およびリジェクト部３２１をそなえて構成されている。紙幣搬送部３０６は、紙幣収納部３０７に装填されている紙幣を１枚ずつ取り出して下流側に送り出す繰出機構部３２２と、この繰出機構部３２２によって送り出された紙幣を紙幣放出口３４まで搬送する複数組（図９では４組）の搬送ローラ対３２３とをそなえて構成されている。
【００８７】
搬送ローラ対３２３をなす２つの搬送ローラ３２３ａと搬送ローラ３２３ｂとは、紙幣の搬送路を挟んで対向するように配設されており、又、これらの搬送ローラ３２３ａ，３２３ｂのうち少なくとも一方が図示しないモータによって回転駆動されるようになっている。これにより、各搬送ローラ対３２３を成す搬送ローラ３２３ａ，３２３ｂが協働して、紙幣を紙幣放出口３４まで搬送するようになっている。
【００８８】
鑑別部３２０は、紙幣収納部３０７と紙幣放出口３４との間において、紙幣搬送部３０６による紙幣搬送経路上に配置されており、現金支払機３０ａにおける支払用現金の鑑別を行なうものである。この鑑別部３２０は、出金時に紙幣搬送部３０６によって紙幣収納部３０７から搬送されてくる紙幣を一枚ずつ鑑別し、正常でない紙幣（例えば白紙等、以下エラー紙幣という）があった場合には、そのエラー紙幣をリジェクト部３２１に搬送するようになっている。リジェクト部３２１は、鑑別部３２０によって鑑別されたエラー紙幣を収納するものであり、このリジェクト部３２１に収納されたエラー紙幣は、管理者等によって排除される。鑑別部３２０によって正常な紙幣であると鑑別された紙幣は、紙幣搬送部３０６によって紙幣放出口３４まで搬送されるようになっている。
【００８９】
上述の如く構成された本第１変形例としての現金支払機３０ａにおける支払処理を、図１０に示すフローチャート（ステップＦ１０〜Ｆ７０）に従って説明する。
支払時において、紙幣計数出金部３０４（図１参照；図９では図示省略）が紙幣の計数を開始すると、繰出機構部３２２が紙幣収納部３０７から紙幣を１枚ずつ繰り出し（ステップＦ１０）、この紙幣を、紙幣搬送部３０６の搬送ローラ対３２３が鑑別部３２０まで搬送する（ステップＦ２０）。鑑別部３２０は、紙幣収納部３０７から搬送された紙幣を１枚ずつ鑑別して、それぞれ正常な紙幣であるかを調べる（ステップＦ３０）。
【００９０】
そして、この。鑑別部３２０による鑑別の結果、エラー紙幣であった場合には（ステップＦ３０の"異常"ルート参照）、そのエラー紙幣がリジェクト部３２１に搬送され（ステップＦ７０）、ステップＦ１０に戻る。又、鑑別部３２０による鑑別の結果、正常な紙幣であった場合には（ステップＦ３０の"正常"ルート参照）、その紙幣を紙幣放出口３４まで搬送し（ステップＦ４０）、紙幣放出口３４において、利用客によって紙幣が抜き取られるのを待つ（ステップＦ５０）。
【００９１】
その後、出金を終了するか否か、つまり支払要求金額分の紙幣を放出したか否かを判断して（ステップＦ６０）、支払要求金額分の紙幣の放出を完了した場合には（ステップＦ６０のＹＥＳルート参照）、処理を終了する一方、まだ支払要求金額分の紙幣を放出していない場合には（ステップＦ６０のＮＯルート参照）、ステップＦ１０に戻る。
【００９２】
このように、本第１変形例としての現金支払機３０ａによれば、紙幣収納部３０７に装填された紙幣中にエラー紙幣が含まれている場合においても、支払う際に鑑別部３２０がそのエラー紙幣を鑑別してリジェクト部３２１に排除するので、エラー紙幣が紙幣として利用客に手渡されることがなく、信頼性を向上させることができる。
【００９３】
上述した各実施形態の現金預金支払システム１ａ，１ｂ，１ｃにおいては、現金支払機３０を管理者が管理する設置場所に配置し、管理者が所有する現金（紙幣）をこの現金支払機３０に装填するようになっているので、管理者によって装填された紙幣中にエラー紙幣が含まれている可能性もあるが、本第１変形例としての現金支払機３０ａを用いることにより、このようなエラー紙幣が利用客に支払われるのを確実に防止することができ、信頼性を向上させることができる。
【００９４】
（Ｅ）現金支払機の第２変形例の説明
図１１は、上述した本発明の各実施形態の現金預金支払システム１ａ，１ｂ，１ｃにおける現金支払機の第２変形例を説明するための図であって、その紙幣搬送部の構成を模式的に示す図である。
本第２変形例の現金支払機３０ｂも、図９に示した現金支払機３０ａとほぼ同様に構成されているが、この現金支払機３０ｂでは、図１１に示すように、紙幣放出口３４に代えて紙幣入出金口３５をそなえるほか、鑑別部３２０に代えて鑑別部３２０′を、又、リジェクト部３２１に代えてリジェクト部３２１′を、更に、紙幣搬送部３０６に代えて紙幣搬送部３０６′をそなえて構成されている。なお、図中、既述の符号と同一の符号は同一もしくは略同一の部分を示しているので、その説明は省略する。
【００９５】
紙幣入出金口３５は、利用客に対して紙幣を放出する他、管理者が現金支払機３０ｂに紙幣を装填すべく現金を挿入するためのものであり、管理者が、紙幣を１枚ずつもしくは所定枚数まとめて挿入することができるようになっている。
紙幣搬送部３０６′は現金支払機３０ｂ内において紙幣を搬送するためのものであり、紙幣の装填時に、紙幣入出金口３５に挿入された紙幣を鑑別部３２０′に搬送した後、紙幣収納部３０７まで搬送するようになっており、又、支払いの際に、紙幣収納部３０７に装填された紙幣を紙幣入出金口３５まで搬送するようになっている。
【００９６】
鑑別部３２０′は、紙幣収納部３０７と紙幣入出金口３５との間において、紙幣搬送部３０６′による紙幣搬送経路上に配置されており、現金支払機３０ｂに装填される支払用紙幣（支払用現金）の鑑別を行なうものであって、支払用紙幣の装填時に紙幣搬送部３０６′によって紙幣入出金口３５から搬送されてくる紙幣を一枚ずつ鑑別し、エラー紙幣があった場合には、そのエラー紙幣をリジェクト部３２１′に搬送するようになっている。
【００９７】
また、鑑別部３２０′によって正常な紙幣であると鑑別された紙幣は、紙幣搬送部３０６′によって紙幣収納部３０７まで搬送されるようになっている。
リジェクト部３２１′は、鑑別部３２０′によって鑑別されたエラー紙幣を収納するものであり、このリジェクト部３２１′に収納されたエラー紙幣は、紙幣入出金口３５に挿入された紙幣が無くなった後に、この紙幣入出金口３５に搬送され、管理者に返却されるようになっている。
【００９８】
上述の如く構成された本第２変形例としての現金支払機３０ｂにおける紙幣装填時の処理を図１２に示すフローチャート（ステップＧ１０〜Ｇ８０）に従って説明する。
管理者が現金支払機３０ｂの紙幣入出金口３５に紙幣を挿入すると（ステップＧ１０）、紙幣搬送部３０６′の搬送ローラ対３２３が、この紙幣を鑑別部３２０′まで搬送する（ステップＧ２０）。鑑別部３２０′は、紙幣入出金口３５から搬送された紙幣を１枚ずつ鑑別して、それぞれ正常な紙幣であるかを調べる（ステップＧ３０）。
【００９９】
そして、鑑別部３２０′による鑑別の結果、エラー紙幣であった場合には（ステップＧ３０の"異常"ルート参照）、そのエラー紙幣がリジェクト部３２１′に搬送され（ステップＧ７０）、後述するステップＧ５０に移行する。又、鑑別部３２０′による鑑別の結果、正常な紙幣であった場合には（ステップＧ３０の"正常"ルート参照）、紙幣搬送部３０６′が、その紙幣を紙幣収納部３０７まで搬送し装填する（ステップＧ４０）。
【０１００】
ここで、現金支払機３０ｂは、例えば、紙幣入出金口３５に紙幣が残っていないか否かを確認したり、管理者によって表示／入力部３１から入力される装填終了の指示等に基づいて、紙幣の装填を終了するか否かを判断する（ステップＧ５０）。更に紙幣の装填を行なう場合には（ステップＧ５０のＮＯルート参照）、ステップＧ１０に戻る。
【０１０１】
また、紙幣の装填を終了する場合には（ステップＧ５０のＹＥＳルート参照）、リジェクト部３２１′にエラー紙幣が格納されているか否かを確認して（ステップＧ６０）、リジェクト部３２１′にエラー紙幣が格納されている場合には（ステップＧ６０のＹＥＳルート参照）、リジェクト部３２１′に格納されているエラー紙幣を紙幣入出金口３５に搬送して管理者に返却して（ステップＧ８０）、処理を終了する。リジェクト部３２１′にエラー紙幣が格納されていない場合には（ステップＧ６０のＮＯルート参照）、そのまま処理を終了する。
【０１０２】
このように、本第２変形例としての現金支払機３０ｂによれば、第１変形例と同様の作用効果を得ることができる他、支払用紙幣を装填する際に紙幣の鑑別を行なうので、現金支払機３０ｂ内にエラー紙幣が装填されることがなく、現金支払機３０ｂ内には正常な紙幣のみが装填され、信頼性を向上させることができる。
【０１０３】
（Ｆ）第４実施形態の説明
図１３は本発明の第４実施形態としての現金預金支払システム（現金入金システム，現金入金支払システム）の機能構成を示すブロック図、図１４は本第４実施形態の現金預金支払システムにおける現金預金支払機（現金入金支払機，現金入金機）の外観を模式的に示す斜視図である。
【０１０４】
図１３に示すように、第４実施形態の現金預金支払システム１ｄは、第１実施形態の現金預金支払システム１ａの現金支払機３０に代えて、図１１に示した現金預金支払機３０ｃをそなえて構成されている。
現金預金支払機３０ｃは、例えば小売店の店舗内等に設置され、利用客（顧客）の要求に応じてこの利用客に現金を支払い、又、利用客が現金を入金するものであり、図１および図２に示した現金支払機３０としての機能に加えて、利用客が現金を入金するための機能をそなえている。
【０１０５】
なお、本第４実施形態の現金預金支払システム１ｄにおいて、顧客に対する現金の支払処理については、上述した各実施形態の現金預金支払システム１ａ，１ｂ，１ｃと同様であるのでその説明は省略し、以下、利用客による現金の入金処理について説明する。又、本第４実施形態においては、利用客が紙幣を入金する場合について説明する。更に、図中、既述の符号と同一の符号は同一もしくは略同一の部分を示しているので、その説明は省略する。
【０１０６】
現金預金支払機３０ｃは、図１４に示すように、表示／入力部３１，カード挿入口３２，レシート放出口３３，紙幣入出金口３５および硬貨入出金口３６をそなえて構成されている。
紙幣入出金口３５は、紙幣搬送部３１６（図１３参照）によって搬送されてきた支払金額の紙幣（現金）を外部に放出したり、管理者や利用客が紙幣を挿入するものである。又、この紙幣入出金口３５は、例えば図示しない蓋をそなえており、この蓋を開放することによって、紙幣が放出されて利用者が紙幣を受け取ったり、管理者が紙幣を挿入して装填したり、利用客が紙幣を挿入して入金を行なったりすることができるようになっている。
【０１０７】
そして、この紙幣入出金口３５に挿入された紙幣は、紙幣搬送部３１６によって鑑別部３２０′（図１１参照）に搬送され、この鑑別部３２０′において鑑別された後、紙幣収納部３１７まで搬送されるようになっている。又、この鑑別部３２０′において、エラー紙幣と判断された紙幣はリジェクト部３２１′（図１１参照）に搬送されるようになっている。
【０１０８】
硬貨入出金口３６は、硬貨搬送部３１８（図１３参照）によって搬送されてきた支払金額の硬貨（現金）を外部に放出したり、利用客が硬貨を挿入するものである。又、この硬貨入出金口３６は、例えば図示しない蓋をそなえており、この蓋を開放することによって、硬貨が放出されて利用者が硬貨を受け取ったり、利用客が硬貨を挿入して入金を行なったりすることができるようになっている。
【０１０９】
そして、この硬貨入出金口３６に挿入された硬貨は、硬貨搬送部３１８によって硬貨鑑別部（図示省略）に搬送され、この硬貨鑑別部において鑑別された後、図示しない硬貨収納部まで搬送されるようになっている。又、この硬貨鑑別部において、エラー硬貨と判断された硬貨はリジェクト部３２１′に搬送されるようになっている。
【０１１０】
また、図１３に示すように、現金預金支払機３０ｃは、図１に示す現金支払機３０の紙幣計数出金部３０４に代えて、計数入出金部３１４をそなえて構成されている。
計数入出金部３１４は、紙幣や硬貨を収納し、必要に応じて紙幣や硬貨の入金や払い出しを行なったりするものであって、ユニット制御部３１５，紙幣搬送部３１６，紙幣収納部３１７，硬貨搬送部３１８および硬貨収納部３１９をそなえて構成されている。
【０１１１】
紙幣収納部３１７は、管理者によって装填された支払用紙幣や利用客によって入金された紙幣を収納するものである。紙幣搬送部３１６は、現金預金支払機３０ｃ内において紙幣を搬送するものであって、支払処理時には紙幣を紙幣収納部３１６から紙幣入出金口３５まで搬送し、入金処理時には紙幣入出金口３５から入金された紙幣を紙幣収納部３１７まで搬送するようになっている。
【０１１２】
硬貨収納部３１９は、管理者によって装填された支払用硬貨や利用客によって入金された硬貨を収納するものである。硬貨搬送部３１８は、現金預金支払機３０ｃ内において硬貨を搬送するもので、支払処理時には硬貨を硬貨収納部３１９から硬貨入出金口３６まで搬送し、入金処理時には硬貨入出金口３６から入金された硬貨を硬貨収納部３１９まで搬送するようになっている。
【０１１３】
ユニット制御部３１５は紙幣搬送部３１６，硬貨搬送部３１８，紙幣収納部３１７および硬貨収納部３１９の制御を行なうものである。
そして、本第４実施形態の預金管理部１０は、現金預金支払機３０ｃにおける利用客による入金時に、利用客による入金金額と同額の出金処理を、管理者の口座（以下、店舗口座）に対して行なうとともに、その入金金額と同額の入金処理を利用客の口座（入金先口座）に対して行なうようになっている。なお、この店舗口座は、管理者の名義であってもよく、店舗もしくは小売店の名義であってもよい。
【０１１４】
利用客が現金預金支払機３０ｃを操作して入金先口座に入金を行なう際に、預金管理部１０が、利用客による入金金額と同額の出金処理を、店舗口座に対して行なうことにより、この現金預金支払機３０ｃ内に入金された現金の所有権は利用客から管理者に移転するのである。
この場合、管理者にとっては、一部の現金の保管場所が金融機関の自分の口座から現金預金支払機３０ｃ内に移ったことと同じであり、その資金の総額に変わりはない。
【０１１５】
また、現金預金支払機３０ｃにおいては、利用客による入金時に、その入金処理を行なうことができなかった場合（何らかの不具合が生じた場合）には、その原因に関する情報、例えば、その原因が利用客側に起因するものであるのか店舗側に起因するものであるのか等の情報を、表示／入力部３１に表示したり、図示しないスピーカからアナウンスしたり、レシート放出口３３から印刷したレシートを出力したりすることによって、利用客に通知するようになっている。すなわち、これらの表示／入力部３１やスピーカ，レシート放出口３３が、入金処理ができなかった原因に関する情報を利用客に通知する通知部として機能するようになっている。
【０１１６】
本現金預金支払システム１ｄにおいては、利用客による入金処理ができない場合として、利用客側に原因（例えば、口座が無いもしくは凍結されている等）があって利用客の口座に入金処理を行なうことができない場合と、利用客以外（例えば、管理者や金融機関）が原因（例えば、管理者口座の残高不足）で管理者の口座からの出金処理ができない場合とがある。入金処理ができなかった場合に、利用客が混乱しないように、その原因に関する情報（例えば、その原因が利用者側に起因するものなのか利用者以外に起因するものなのかや、その原因等の情報）を表示／入力部３１に表示するようになっている。
【０１１７】
また、預金管理部１０は、利用客による現金入金時に、現金預金支払機３０ｃ内で不具合が発生したり、何らかの理由で店舗口座に対する出金処理や利用客の口座に対する入金処理を行なうことができなかった場合には、これらの店舗口座に対して行なった出金処理や、利用客口座に対して行なった入金処理を取り消すようになっている。
【０１１８】
店舗口座に対して行なった出金処理の取り消し方法としては、例えば、この出金処理自体を取り消してもよく、又、店舗口座に対してこの出金処理と同額の入金処理を行なってもよい。更に、利用客口座に対して行なった入金処理の取り消し方法としては、例えば、この入金処理自体を取り消してもよく、又、利用客口座に対してこの入金処理と同額の出金処理を行なってもよい。これらの取り消し処理により、利用客によって現金預金支払機３０ｃ内に入金された現金の所有権が管理者から利用客に戻るので、現金預金支払機３０ｃにおいて、その紙幣搬送部３１６において紙幣の搬送不良が生じた場合においても、管理者が紙幣の除去等の処理を行なうことができる。
【０１１９】
さらに、預金管理部１０は、現金の入金処理を行なうことができなかった（取引不可となった）場合に、前述したように、現金預金支払機３０ｃに対してその原因（理由）を通知するようになっている。
また、預金管理部１０は、店舗口座の残高が所定金額以下になると、その旨を現金預金支払機３０ｃに通知するようになっており、この通知を受けた現金預金支払機３０ｃは、現金の入金を停止する縮退運用を行なうようになっている。そして、この縮退運用において、利用客によって行なわれる現金の出金（支払）により、店舗口座の残高が所定金額以上になると、縮退運用を停止し、現金の入金を再開するようになっている。
【０１２０】
さらに、現金預金支払機３０ｃは、現金預金支払機３０ｃ内の現金の残高が所定金額以下になると、現金の出金（支払）を停止する縮退運用を行なうようになっている。そして、この縮退運用において、利用客によって行なわれる現金の入金により、現金預金支払機３０ｃ内の残高が所定金額以上になると、縮退運用を停止し、現金の出金を再開するようになっている。
【０１２１】
中継センタ２０は、預金管理部１０と現金預金支払機３０ｃとの間を中継し、現金預金支払機３０ｃで行なわれる種々の取引に応じて、上述した種々の処理を預金管理部１０に行なわせるものであって、現金預金支払機３０ｃから送信される取引電文を受け、預金管理部１０と連携しながら中継処理を行なうようになっている。
【０１２２】
ここで、本第４実施形態の現金預金支払システム１ｄにおける中継センタ２０の処理を、図１５に示すフローチャート（ステップＨ１０〜ステップＨ７０）に従って説明する。
現金預金支払機３０ｃにおいて、顧客がキャッシュカードや通帳等を用いて入金を行なうと、現金預金支払機３０ｃは、挿入された紙幣を鑑別部３２０′によって鑑別した後、中継センタ２０と交信し、入金金額や利用客の口座番号，現金預金支払機３０ｃを特定するための情報，店舗を特定するための情報（もしくは店舗口座の口座番号）等を中継センタ２０に送信する。中継センタ２０は、金融機関の預金管理部１０と交信し、この預金管理部１０に対して店舗口座の残高の確認を要求し（ステップＨ１０）、預金管理部１０は、店舗口座の残高確認を行ない、中継センタ２０にその結果を通知する。
【０１２３】
中継センタ２０は、預金管理部１０からの残高確認の結果に基づいて、入金金額と同額の出金処理を行なった場合に店舗口座が残高不足になるか否かを判断する（ステップＨ２０）。ここで、店舗口座が残高不足になる場合には（ステップＨ２０のＮＯルート参照）、中継センタ２０は、その結果を現金預金支払機３０ｃに対して通知する（ステップＨ７０）。ここでは、中継センタ２０は、現金預金支払機３０ｃに対して支払いが不可能である旨を通知する。
【０１２４】
また、店舗口座が残高不足にならない場合には（ステップＨ２０のＹＥＳルート参照）、中継センタ２０は、預金管理部１０と交信し、この預金管理部１０に、利用客による入金金額と同額の出金処理（取引金額相当額の出金処理）を店舗口座に対して行なわせる（ステップＨ３０）。この出金処理により、現金預金支払機３０ｃに入金された紙幣の所有権は利用客から管理者に移転する。
【０１２５】
さらに、中継センタ２０は、預金管理部１０に、利用客による入金金額と同額の入金処理を利用客口座に対して行なわせる（ステップＨ４０）。この入金処理により利用者口座に現金が入金される。
中継センタ２０は、店舗口座からの出金処理や、利用客口座に対する入金処理を行なうことができたか否かを確認する（ステップＨ５０）。例えば、店舗口座からの出金処理を行なうことができなかった場合には（ステップＨ５０のＮＯルート参照）、かかる出金処理を取り消した後（ステップＨ６０）、ステップＨ７０に移行して、店舗口座からの出金処理を行なうことができないので入金処理を行なえない旨を現金預金支払機３０ｃに通知する。
【０１２６】
また、かかるステップＨ５０において、利用客口座に対して入金処理を行なうことができなかった場合には（ステップＨ５０のＮＯルート参照）、かかる入金処理を取り消した後（ステップＨ６０）、ステップＨ７０に移行して、利用客口座に対する入金処理を行なうことができないので入金処理を行なえない旨を現金預金支払機３０ｃに通知する。
【０１２７】
入金処理を行なうことができた場合には（ステップＨ５０のＹＥＳルート参照）、中継センタ２０は、ステップＨ７０に移行して、現金預金支払機３０ｃに対して、入金処理を行なうことができる旨を通知する。現金預金支払機３０ｃは、紙幣入出金口３５に挿入された紙幣を紙幣搬送部３１６によって紙幣収納部３１７に搬送し、この紙幣搬送部３１６に収納する。
【０１２８】
次に、上述の如く構成された本発明の第４実施形態の現金預金支払機３０ｃの処理を、図１６に示すフローチャート（ステップＩ１０〜Ｉ１２０）に従って説明する。
現金預金支払機３０ｃにおいて、利用客が表示／入力部３１から現金の入金を行なう旨を選択し（ステップＩ１０）、利用客がカードをカード挿入口３２に挿入すると、カードリード部３０３がこのカードに登録された情報（例えば、口座番号等）を読み取る（ステップＩ２０）。
【０１２９】
利用客は、表示／入力部３１に表示された指示に従って、紙幣入出金口３５から入金する金額（入金金額）の紙幣を挿入する（ステップＩ３０）。現金預金支払機３０ｃは、計数入出金部３１４によって、挿入された紙幣を計数して入金金額を算出するとともに（ステップＩ４０）、入金された紙幣をその鑑別部３２０′によって鑑別する。現金預金支払機３０ｃは、その表示／入力部３１に算出した入金金額を表示して、利用客に確認する（ステップＩ５０）。
【０１３０】
現金預金支払機３０ｃは、中継センタ２０と交信して、ステップＩ２０〜ステップＩ５０において取得した情報（利用客の口座番号，入金金額等）とともに、入金要求の取引電文や、その現金預金支払機３０ｃを特定するための情報を中継センタ２０に送信する（ステップＩ６０）。
現金預金支払機３０ｃは、中継センタ２０から送信された情報（図１５のステップＨ７０参照）を参照して、店舗口座に対して利用客による入金金額と同額の入金処理を行なうことができるか否かを判断する（ステップＩ７０）。ここで、入金処理を行なうことができる場合には（ステップＩ７０のＹＥＳルート参照）、現金預金支払機３０ｃは、取引内容を印刷したレシートを印刷してレシート放出口３３から放出して（ステップＩ８０）、挿入された紙幣を紙幣搬送部３１６によって紙幣収納部３１７まで搬送して、この紙幣収納部３１７に収納する（ステップＩ９０）。
【０１３１】
そして、現金預金支払機３０ｃは、入金処理を正常に終了させることができたか否かを判断する（ステップＩ１１０）。例えば、現金預金支払機３０ｃは、紙幣搬送部３１６による紙幣の搬送不良等、何らかの不具合が生じていないか等を判断し、不具合が生じて入金処理を正常に終了することができない場合には（ステップＩ１１０のＮＯルート参照）、その旨のアラームを表示／入力部３１や管理者用のディスプレイ（図示省略）等に表示させることにより利用者や管理者等に通知して（ステップＩ１２０）、処理を終了する。なお、この時点において、現金預金支払機３０ｃ内の紙幣の所有権は管理者にあるので、管理者もしくはその代理人が現金預金支払機３０ｃ内の紙幣を除去したりすることができる。又、処理を正常に終了させることができた場合には（ステップＩ１１０のＹＥＳルート参照）、そのまま処理を終了する。
【０１３２】
一方、入金処理を行なうことができない場合には（ステップＩ７０のＮＯルート参照）、その入金処理を取り消すとともに、その理由を表示／入力部３１に表示させたり、図示しないスピーカからアナウンスしたりすること等によって利用客や管理者等に通知する。更に、現金預金支払機３０ｃは、挿入された紙幣を計数して、紙幣搬送部３１６によって紙幣入出金口３５まで搬送して利用客に返却するとともに、挿入されたカードをカード挿入口３２から出して利用客に返却した後（ステップＩ１００）、ステップＩ１１０に移行する。
【０１３３】
このように、本発明の第４実施形態の現金預金支払システム１ｄによれば、前述した各実施形態と同様の作用効果を得ることができる他、現金預金支払機３０ｃにおける利用客による入金時に、預金管理部１０が、入金金額と同額の出金処理を、店舗口座に対して行なうので、かかる出金処理を行なった後には、現金預金支払機３０ｃ内における利用者によって入金された現金の所有権が管理者にあり、現金預金支払機３０ｃ内の紙幣に関して管理者（もしくはこの管理者に委託されたもの（例えば小売店の従業員等））が現金の回収や保守作業を行なうことができる。
【０１３４】
また、預金管理部１０が、かかる出金処理を行なう前においては、現金預金支払機３０ｃ内における利用者によって入金された現金の所有権は利用者にあるので、この利用客の了解を得た管理者（もしくはこの管理者に委託されたもの（例えば小売店の従業員等））が現金の回収や保守作業を行なうことができる。
従って、例えば、現金預金支払機３０ｃにおいて、現金の入金を行なうに際して、現金の搬送不良等の何らかの不具合が発生した場合においても、その不具合を解消するために金融機関や運用会社へ依頼したり、又、金融機関や運用機関がその補充のために到着するのを待ったりする必要がない。これにより、利用客や管理者の利便性が向上する。又、金融機関や運用機関に依頼する処理を減らすことができるので、金融機関や運用機関に対して支払う手数料（運用コスト）を低減することができる。
【０１３５】
また、利用客による現金の入金時に現金預金支払機３０ｃ内で不具合が発生した場合には、預金管理部１０により店舗口座からの出金処理や利用客口座に対する入金処理が取り消され、現金預金支払機３０ｃに利用者によって挿入された現金の所有権は利用者に戻るので、この利用者の了解を得た管理者が現金預金支払機３０ｃ内で発生した不具合に対処することができ、利便性が向上する。
【０１３６】
これにより、現金預金支払機３０ｃにおける入金時に紙幣の搬送不良等が生じた場合においても、金融機関や運用会社へ依頼する必要がなく、金融機関や運用会社から係員等が不具合の解消のために到着するのを待つ必要がないので、利用客や管理者の利便性が向上する。又、これによっても、金融機関や運用会社に依頼する処理を減らすことができるので、金融機関や運用会社に対して支払う手数料（運用コスト）を低減することができる。
【０１３７】
また、入金処理を行なうことができなかった場合には、その原因に関する情報、例えば、その原因が利用客側に起因するものであるのか店舗側に起因するものであるのか等が表示／入力部３１やスピーカを通じて利用客や管理者に通知されるので、利用客や管理者はその不具合の内容を知ることができ、利便性が向上する。
【０１３８】
（Ｇ）その他
なお、上述した実施形態に関わらず、本発明の趣旨を逸脱しない範囲で種々変形して実施することができる。
例えば、上述した第１〜第３の各実施形態およびそれらの各変形例においては、支払用現金として現金支払機３０，３０ａ，３０ｂ内に紙幣が装填され、これらの現金支払機３０，３０ａ，３０ｂによって紙幣が支払われる場合について説明しているが、それに限定されるものではなく、支払用現金として硬貨を支払ってもよい。又、これらの紙幣や硬貨以外に、現金の代替として利用可能な金券等を支払ってもよい。
【０１３９】
また、上述した各実施形態および各変形例においては、中継センタ２０が、現金支払機３０，３０ａ，３０ｂもしくは現金預金支払機３０ｃと預金管理部１０との間で中継を行なうようになっているが、これに限定されるものではなく、上述した中継センタ２０としての機能を現金支払機３０，３０ａ，３０ｂや現金預金支払機３０ｃにもたせ、現金支払機３０，３０ａ，３０ｂや現金預金支払機３０ｃが、直接、預金管理部１０に上述のような処理や出金処理および入金処理を実行させるように構成してもよい。
【０１４０】
さらに、上述した第１〜第３の各実施形態およびそれらの各変形例においては、現金支払機３０，３０ａ，３０ｂをそなえて構成されているが、それに限定されるものではなく、第４実施形態の現金預金支払機（現金入金支払機）３０ｃをそなえてもよい。
そして、上述した第１変形例の現金支払機３０ａにおいては、支払（出金）時に紙幣の鑑別を行なっているが、これに限定されるものではなく、現金支払機３０ａに紙幣を装填する際に、一旦、紙幣収納部３０７に格納した紙幣を、紙幣搬送部３０６によって鑑別部３２０に搬送するとともに、この鑑別部３２０によって紙幣の鑑別を行ない、この鑑別の結果、正常であると判断された紙幣のみを紙幣収納部３０７に紙幣搬送部３０６によって搬送して装填してもよい。
【０１４１】
また、上述した第４実施形態においては、利用客が現金預金支払機３０ｃに紙幣を入金する場合について説明しているが、それに限定されるものではなく、硬貨を入金してもよく、又、これらの紙幣や硬貨以外に、現金の代替として利用可能な金券等を入金してもよい。
さらに、上述した第４実施形態においては、現金預金支払機３０ｃにおいて利用客が現金の支払と入金との両方の処理を行なうことができるようになっているが、これに限定されるものではなく、現金預金支払機３０ｃに代えて現金の入金のみを行なう現金入金機をそなえてもよい。
【０１４２】
また、上述した第４実施形態においては、入金先口座が利用客の口座（利用客口座）であって、利用客が自らの口座に現金を入金する場合について説明しているが、それに限定されるものではなく、例えば、入金先口座が利用客以外（例えばクレジット会社等）の口座であってもよい。
なお、本発明の各実施形態が開示されていれば、当業者によって製造することが可能である。
【０１４３】
（Ｈ）付記
（付記１）顧客の要求に応じて該顧客に現金を支払う現金支払機と、
金融機関における口座を管理する口座管理部とをそなえ、
該現金支払機に、該現金支払機の設置場所の管理者に所有権のある現金が、該顧客に対する支払用現金として装填され、
該現金支払機により該支払用現金を該顧客に支払う前に、該口座管理部が、該現金支払機による該顧客への支払金額と同額の入金処理を、該管理者の口座に対して行なうことを特徴とする、現金支払システム。
【０１４４】
（付記２）  該口座管理部が、出金元口座から、該支払金額と同額を出金することを特徴とする、付記１記載の現金支払システム。
（付記３）  該現金支払機から該支払金額の現金を放出する直前に、該口座管理部が該入金処理を行なうことを特徴とする、付記１または付記２に記載の現金支払システム。
【０１４５】
（付記４）  該顧客への現金支払時に該現金支払機内で不具合が発生した場合、該口座管理部が該入金処理を取り消すことを特徴とする、付記１〜付記３のいずれか１項に記載の現金支払システム。
（付記５）  該現金支払機が、該不具合の発生時に、該不具合の内容を該顧客に通知する通知部を有していることを特徴とする、付記４記載の現金支払システム。
【０１４６】
（付記６）  該現金支払機が、該支払用現金の鑑別を行なう鑑別部を有していることを特徴とする、付記１又は付記２記載の現金支払システム。
（付記７）  該鑑別部が、該支払用現金を該顧客に支払う際に、該支払用現金の鑑別を行なうことを特徴とする、付記６記載の現金支払システム。
（付記８）  該鑑別部が、該支払用現金を該現金支払機に装填する際に、該支払用現金の鑑別を行なうことを特徴とする、付記６記載の現金支払システム。
【０１４７】
（付記９）  該現金支払機が、該支払用現金を単位金額毎に支払うことを特徴とする、付記１〜付記８のいずれか１項に記載の現金支払システム。
（付記１０）  該口座管理部が、該単位金額毎に該入金処理を行なうことを特徴とする、付記９記載の現金支払システム。
（付記１１）  現金支払機に、該現金支払機の設置場所の管理者に所有権のある現金を、顧客に対する支払用現金として装填し、
該現金支払機による該顧客への支払金額と同額の入金処理を、該管理者の口座に対して行なってから、
該現金支払機により、該支払金額分の支払用現金を該顧客に支払うことを特徴とする、現金支払方法。
【０１４８】
（付記１２）  出金元口座から、該支払金額と同額を出金することを特徴とする、付記１１記載の現金支払方法。
（付記１３）  該現金支払機から該支払金額の現金を放出する直前に、該入金処理を行なうことを特徴とする、付記１１または付記１２に記載の現金支払方法。
【０１４９】
（付記１４）  該顧客への現金支払時に該現金支払機内で不具合が発生した場合、該入金処理を取り消すことを特徴とする、付記１１〜付記１３のいずれか１項に記載の現金支払方法。
（付記１５）  顧客の要求に応じて該顧客に現金を支払う現金支払機であって、
該現金支払機の設置場所の管理者に所有権のある現金を、該顧客に対する支払用現金として装填されるとともに、
該管理者の口座に対する、該顧客への支払金額と同額の入金処理の完了に応じて、該支払金額分の支払用現金を該顧客に支払うことを特徴とする、現金支払機。
【０１５０】
（付記１６）  該顧客への現金支払時に不具合が発生した場合、該不具合の内容を該顧客に通知する通知部を有していることを特徴とする、付記１５記載の現金支払機。
（付記１７）  該支払用現金の鑑別を行なう鑑別部を有していることを特徴とする、付記１５又は付記１６記載の現金支払機。
【０１５１】
（付記１８）  該鑑別部が、該支払用現金を該顧客に支払う際に、該支払用現金の鑑別を行なうことを特徴とする、付記１７記載の現金支払機。
（付記１９）  該鑑別部が、該支払用現金の装填時に、該支払用現金の鑑別を行なうことを特徴とする、付記１７記載の現金支払機。
（付記２０）  該支払用現金を単位金額毎に支払うことを特徴とする、付記１５〜付記１８のいずれか１項に記載の現金支払機。
【０１５２】
（付記２１）  顧客が現金を入金する現金入金機と、
金融機関における口座を管理する口座管理部とをそなえ、
該現金入金機における該顧客による入金時に、該口座管理部が、入金金額と同額の出金処理を、該現金入金機の設置場所の管理者の口座に対して行なうことを特徴とする、現金入金システム。
【０１５３】
（付記２２）  該口座管理部が、該入金金額と同額の入金処理を入金先口座に対して行なうことを特徴とする、付記２１記載の現金入金システム。
（付記２３）  前記入金先口座に対する入金処理を行なうことができなかった場合に、その原因に関する情報を該顧客に通知する通知部を有していることを特徴とする、付記２２記載の現金入金システム。
【０１５４】
（付記２４）  前記入金先口座に対する入金処理を行なうことができなかった場合に、該口座管理部が該入金処理および該出金処理を取り消すことを特徴とする、付記２２又は付記２３に記載の現金入金システム。
（付記２５）  該現金入金機が、前記顧客によって入金された現金の鑑別を行なう鑑別部を有していることを特徴とする、付記２１〜付記２４のいずれか１項に記載の現金入金システム。
【０１５５】
（付記２６）  顧客が現金入金機に現金を入金し、
該顧客による入金金額と同額の出金処理を該現金入金機の設置場所の管理者の口座に対して行なうことを特徴とする、現金入金方法。
（付記２７）  前記入金金額と同額の入金処理を入金先口座に対して行なうことを特徴とする、付記２６記載の現金入金方法。
【０１５６】
（付記２８）  該前記入金先口座に対する入金処理を行なうことができなかった場合に、その原因に関する情報を該顧客に通知することを特徴とする、付記２７記載の現金入金方法。
（付記２９）  前記入金先口座に対する入金処理を行なうことができなかった場合に、該入金処理および該出金処理を取り消すことを特徴とする、付記２７又は付記２８記載の現金入金方法。
【０１５７】
（付記３０）  顧客の要求に応じて該顧客に現金を支払い、又、該顧客が現金を入金する現金入金支払機と、
金融機関における口座を管理する口座管理部とをそなえ、
該現金入金支払機に、該現金入金支払機の設置場所の管理者に所有権のある現金が、該顧客に対する支払用現金として装填され、
該現金入金支払機により該支払用現金を該顧客に支払う前に、該口座管理部が、該現金入金支払機による該顧客への支払金額と同額の入金処理を、該管理者の口座に対して行ない、
該現金入金支払機における該顧客による入金時に、該口座管理部が、入金金額と同額の出金処理を、該現金入金支払機の設置場所の管理者の口座に対して行なうことを特徴とする、現金入金支払システム。
【０１５８】
【発明の効果】
以上詳述したように、本発明の現金支払システム，現金支払方法，現金支払機および現金預金支払システムによれば、以下の効果ないし利点がある。
（１）現金支払機（現金入金支払機）に、この現金支払機の設置場所の管理者に所有権のある現金を、顧客に対する支払用現金として装填することにより、現金支払機内の現金に関して管理者が保守作業を行なうことができ、利便性が向上し、又、運用コストを低減することができる。
【０１５９】
（２）現金支払機内の現金の所有権は管理者にあるので、管理者は夜間や休業状態の時等の任意の時間に現金支払機内の現金を回収することができ、夜間等に現金支払機内に多額の現金が存在することを回避して、盗難等を未然に防止することができるので防犯上安全である。
【０１６０】
（３）現金支払機（現金入金支払機）により支払用現金を顧客に支払う前に、現金支払機による顧客への支払金額と同額の入金処理を、管理者の口座に対して行なうことにより、現金を顧客に支払う際には、現金支払機（現金入金支払機）内に装填されている現金のうち、支払金額と同額の現金についての所有権が金融機関等に移転されるので、法的に何らの瑕疵なく支払処理を行なうことができる。
【０１６１】
（４）現金支払機（現金入金支払機）において、支払金額の現金の現金収納部から紙幣放出口への搬送が完了した後、紙幣放出口の蓋を開放して支払金額の現金を放出する直前に入金処理を行なうことにより、支払金額の現金を放出する直前までは、現金支払機（現金入金支払機）内の現金の所有権は管理者にあるので、現金支払機（現金入金支払機）内における現金の搬送過程において何らかの不具合が発生した場合においても、管理者がその不具合に対処することができ、利便性が向上する。
【０１６２】
（５）顧客への現金支払時に現金支払機（現金入金支払機）内で不具合が発生した場合に、入金処理を取り消すことにより、移転した現金支払機（現金入金支払機）内の現金の所有権が金融機関から管理者に戻るので、現金支払機（現金入金支払機）内における現金の搬送過程において何らかの不具合が発生した場合においても、管理者がその不具合に対処することができ、利便性が向上する。
【０１６３】
（６）不具合の発生時に、その不具合の内容を顧客に通知することにより、顧客が不具合の内容を知ることができ、顧客の利便性が向上する。
（７）支払用現金の鑑別を行なうことにより、支払用現金に正常でない現金が混入していた場合においても、顧客に支払う前にその正常でない現金を除去することができ、信頼性を向上させることができる。
【０１６４】
（８）支払用現金を現金支払機に装填する際に、支払用現金の鑑別を行なうことにより、現金支払機に装填される現金から正常でない現金が除去され、現金支払機には正常な現金のみが装填され、信頼性を向上させることができる。
（９）支払用現金を単位金額毎に支払うことにより、現金の支払時に不具合等が生じた場合においても、どこまで処理が行なわれたかを明確に知ることができ、その運用についての利便性が向上する。
【０１６５】
（１０）現金入金支払機における顧客による入金時に、口座管理部が、入金金額と同額の出金処理を、現金入金支払機の設置場所の管理者の口座に対して行なうことにより、現金入金支払機内の顧客によって入金された現金の所有権が管理者にあるので、現金入金支払機内の現金に関して管理者が保守作業を行なうことができ、利便性が向上し、又、運用コストを低減することができるほか、管理者は夜間や休業状態の時等の任意の時間に現金入金支払機内の現金を回収することができ、夜間等に現金入金支払機内に多額の現金が存在することを回避して、盗難等を未然に防止することができるので防犯上安全である。
【０１６６】
（１１）入金先口座に対する入金処理を行なうことができなかった場合に、その原因に関する情報を顧客に通知することにより、顧客が不具合の内容を知ることができ、顧客の利便性が向上する。
（１２）入金先口座に対する入金処理を行なうことができなかった場合に、入金先口座に対する入金処理および管理者の口座からの出金処理を取り消すことにより、現金入金支払機内の現金の所有権が管理者から顧客に戻るので、現金入金支払機内における現金の搬送過程において何らかの不具合が発生した場合においても、管理者が顧客の了解を得ることによりその不具合に対処することができ、利便性が向上する。
【０１６７】
（１３）現金入金機が、前記顧客によって入金された現金の鑑別を行なうことにより、現金支払機に入金される現金から正常でない現金が除去され、現金支払機には正常な現金のみが入金され、信頼性を向上させることができる。
【図面の簡単な説明】
【図１】本発明の第１実施形態としての現金預金支払システム（現金支払システム）の機能構成を示すブロック図である。
【図２】本発明の第１実施形態としての現金預金支払システムにおける現金支払機の外観を模式的に示す斜視図である。
【図３】本発明の第１実施形態の現金預金支払システムにおける中継センタの処理を説明するためのフローチャートである。
【図４】本発明の第１実施形態の現金預金支払システムの現金支払機において、不具合が発生した場合の中継センタの処理を説明するためのフローチャートである。
【図５】本発明の第１実施形態の現金支払機の処理を説明するためのフローチャートである。
【図６】本発明の第２実施形態の現金預金支払システムにおける中継センタの処理を説明するためのフローチャートである。
【図７】本発明の第２実施形態の現金支払機の処理を説明するためのフローチャートである。
【図８】本発明の第３実施形態の現金支払機の処理を説明するためのフローチャートである。
【図９】本発明の各実施形態の現金預金支払システムにおける現金支払機の第１変形例を説明するための図である。
【図１０】本発明の各実施形態の現金預金支払システムにおける現金支払機の第１変形例における出金処理を説明するためのフローチャートである。
【図１１】本発明の各実施形態の現金預金支払システムにおける現金支払機の第２変形例を説明するための図である。
【図１２】本発明の各実施形態の現金預金支払システムにおける現金支払機の第２変形例における紙幣装填時の処理を説明するためのフローチャートである。
【図１３】本発明の第４実施形態としての現金預金支払システム（現金入金システム，現金入金支払システム）の機能構成を示すブロック図である。
【図１４】本発明の第４実施形態の現金預金支払システムにおける現金預金支払機（現金入金支払機，現金入金機）の外観を模式的に示す斜視図である。
【図１５】本発明の第４実施形態の現金預金支払システムにおける中継センタの処理を説明するためのフローチャートである。
【図１６】本発明の第４実施形態の現金預金支払機の処理を説明するためのフローチャートである。
【図１７】一般的な現金自動支払システムのハードウェア構成を模式的に示す図である。
【図１８】一般的な入金システムの機能構成を示すブロック図である。
【符号の説明】
１ａ，１ｂ，１ｃ  現金預金支払システム（現金支払システム）
１ｄ  現金預金支払システム（現金支払システム，現金入金支払システム）
１０  預金管理部（口座管理部、金融機関センタ）
２０  中継センタ
３０，３０ａ，３０ｂ  現金支払機
３０ｃ  現金預金支払機（現金入金機，現金入金支払機）
３１  表示／入力部
３２  カード挿入口
３３  レシート放出口
３４  紙幣放出口
３５  紙幣入出金口
３６  硬貨入出金口
４０ａ，４０ｂ  ネットワーク
３０１  主制御部
３０２  通信制御部
３０３  カードリード部
３０４  紙幣計数出金部
３０５，３１５  ユニット制御部
３０６，３０６′，３１６  紙幣搬送部
３０７，３１７  紙幣収納部
３０８  顧客操作部
３０９  画面表示部
３０８  キー入力部
３１４  計数入出金部
３１８  硬貨搬送部
３１９  硬貨収納部
３２０，３２０′  鑑別部
３２１，３２１′  リジェクト部
３２３  搬送ローラ対
３２３ａ，３２３ｂ  搬送ローラ
【図１】
0004119625.tif 000002
【図２】
0004119625.tif 000003
【図３】
0004119625.tif 000004
【図４】
0004119625.tif 000005
【図５】
0004119625.tif 000006
【図６】
0004119625.tif 000007
【図７】
0004119625.tif 000008
【図８】
0004119625.tif 000009
【図９】
0004119625.tif 000010
【図１０】
0004119625.tif 000011
【図１１】
0004119625.tif 000012
【図１２】
0004119625.tif 000013
【図１３】
0004119625.tif 000014
【図１４】
0004119625.tif 000015
【図１５】
0004119625.tif 000016
【図１６】
0004119625.tif 000017
【図１７】
0004119625.tif 000018
【図１８】
0004119625.tif 000019